【手続補正書】
【提出日】平成27年9月15日(2015.9.15)
【手続補正１】
【補正対象書類名】特許請求の範囲
【補正対象項目名】全文
【補正方法】変更
【補正の内容】
【特許請求の範囲】
【請求項１】
ハンドル（１２）と、
ローラー（２０）であって、その外側表面（６０）の範囲内に外側表面（６０）の周囲に延びる開放された溝（５８）を有するローラー（２０）と、
前記ローラーが前記ハンドルに対して回転するように、前記ローラーを前記ハンドルに取り付ける少なくとも１つの軸（１４，１６）と、
前記ローラーに取り付けられた磁石（１８）とを備え、
前記磁石が前記開放された溝（５８）の直下に配置されており、前記磁石が前記開放された溝（５８）内へ向かう少なくとも１００ポンド（４４４．８２２１６２Ｎ）の引力を生成する、装置（１０）。
【請求項２】
前記ローラー（２０）が非磁性体から形成されている、請求項１に記載の装置。
【請求項３】
前記ローラー（２０）は空洞（４６）を備え、前記磁石（１８）は前記空洞に配置されている、請求項１又は２に記載の装置。
【請求項４】
前記ローラー（２０）が円筒状である、請求項１から３のいずれか１項に記載の装置。
【請求項５】
互いに反対側にある軸（１４，１６）を備え、前記軸（１４，１６）は前記ローラー（２０）の互いに反対側にある端部（４８，５０）を前記ハンドル（１２）の互いに反対側にある部分（３０，３２）に取り付け、
前記磁石（１８）は、前記ローラーの空洞（４６）の内側、かつ前記互いに反対側にある軸（１４，１６）の間に配置されている、請求項１から４のいずれか１項に記載の装置。
【請求項６】
前記溝（５８）がＵ字状である、請求項１から５のいずれか１項に記載の装置。
【請求項７】
前記溝（５８）が、前記ローラー（２０）の前記外側表面（６０）に平行な底面と、前記溝（５８）の前記底面と前記ローラー（２０）の前記外側表面（６０）の間で延びる２つの互いに反対側にある面を有する、請求項１から６のいずれか１項に記載の装置。
【請求項８】
前記溝（５８）が前記ローラー（２０）の前記外側表面（６０）に切り込まれている、請求項１から７のいずれか１項に記載の装置。
【請求項９】
前記ローラー（２０）が、前記ローラーの外側表面（６０）の周囲に延びている唯一の前記溝（５８）を有する、請求項１から８のいずれか１項に記載の装置。
【請求項１０】
前記溝（５８）が前記ローラー（２０）の中央に配置されている、請求項１から９のいずれか１項に記載の装置。
【手続補正２】
【補正対象書類名】明細書
【補正対象項目名】００１３
【補正方法】変更
【補正の内容】
【００１３】
図１は、力を印加するための装置１０の一実施形態による正面図を示す。図２は、図１の装置１０の線２−２を通る断面図を示す。図３は、分解された状態の図１の装置１０の側面斜視図を示す。図１、２及び３に集合的に示されるように、装置１０は、ハンドル１２、軸１４及び１６、磁石１８、及びローラー２０を備える。ハンドル１２は、矩形開口部２２、Ｕ字型開口部２４、及び互いに反対側にある部分３０及び３２を介して配置される穴２６及び２８を備える。矩形開口部２２により、ユーザは指を矩形開口部２２に挿入してハンドル１２を握ることができる。ハンドル１２は、ナイロンで作られる。他の実施形態では、ハンドル１２は、様々な形状、構成、方向付け、サイズ、または材料で作ることができる。
【手続補正３】
【補正対象書類名】明細書
【補正対象項目名】００１５
【補正方法】変更
【補正の内容】
【００１５】
軸１６は、ハブ４０及び棒４２を備える。ハブ４０は、ハブ４０を介して延びる軸方向穴４４を有する円筒形状である。棒４２は円形断面を有する。棒４２は、ハンドル１２の穴２８に嵌合しハブ４０の軸方向穴４４まで貫通し、ハブ３４とは反対側の位置でハンドル１２のＵ字型開口部２４内の適所でハブ４０を保持する。ハブ４０及び棒４２は、好適には強磁性体から作られる。他の実施形態では、ハブ４０及び棒４２は、様々な形状、構成、方向付け、サイズまたは材料で作ることができる。
【手続補正４】
【補正対象書類名】明細書
【補正対象項目名】００１７
【補正方法】変更
【補正の内容】
【００１７】
ローラー２０は円筒形状である。円形空洞４６は、ローラー２０の互いに反対側にある端部４８及び５０の間で延びている。磁石１８は、ローラー２０の互いに反対側にある端部４８及び５０の間で、且つ、軸１４及び１６の互いに反対側にあるハブ３４及び４０の間で、空洞４６の中心部５２においてローラー２０の円形空洞４６内に嵌合する。ハブ３４は、ローラー２０の端部４８で、円形空洞４６内に嵌合する。ハブ４０は、ローラー２０の端部５０で、円形空洞４６内に嵌合する。ハブ３４及び４０は、ローラー２０の円形空洞４６内で、磁石１８の互いに反対側にある表面５４及び５６に対して隣接する。このような方法において、ローラー２０は、ハンドル１２の穴２６及び２８を貫通して延びる取り付けられた棒３６及び４２により適所で保持される取り付けられたハブ３４及び４０により、ハンドル１２のＵ字型開口部２４内の適所で保持される。
【手続補正５】
【補正対象書類名】明細書
【補正対象項目名】００２４
【補正方法】変更
【補正の内容】
【００２４】
図６は、材料９０に力８８を印加するために使用される装置８６の別の実施形態の正面図を示す。力は、圧縮力を含むことができる。装置８６は、ローラー９２の空洞９６内に配置される磁石９４を有するローラー９２を備える。装置８６は、磁気的に影響を受けやすい表面１０２上に配置される材料９０上にローラー９２をローリングするための互いに反対側にあるハンドル９８及び１００を選択的に備える。磁石９４に対する磁気的に影響を受けやすい表面１０２の引力により、ローラー９２は、力８８を材料９０に印加する。一の実施形態では、装置８６は、パンこね台を含む磁気的に影響を受けやすい表面１０２上でパン生地のような材料９０を延ばすキッチンのし棒を備えることができる。他の実施形態では、装置８６及び磁気的に影響を受けやすい表面１０２は、力を種々の材料に印加して種々の機能を果たすために使用することができる。
【手続補正６】
【補正対象書類名】明細書
【補正対象項目名】００２５
【補正方法】変更
【補正の内容】
【００２５】
図７は、切断部材１０８により印加される切断力１０６を材料１１０に印加するために使用される装置１０４の別の実施形態の正面図を示す。装置１０４は、ローラー１１２の空洞１１６内に配置される磁石１１４を有するローラー１１２を備える。切断部材１０８は、ローラー１１２に取り付けられ、任意の数の刃又は種々の切断部材を備えることができる。装置１０４は、磁気的に影響を受けやすい表面１２２上に配置される材料１１０上でローラー１１２をローリングするための互いに反対側にあるハンドル１１８及び１２０を選択的に備える。磁石１１４に対する磁気的に影響を受けやすい表面１２２の引力により、ローラー１１２は、切断力１０６を材料１１０に印加する。装置１０４は、任意の種類の材料１１０を切断するために使用してもよい。他の実施形態では、切断部材１０８を備える装置１０４、及び磁気的に影響を受けやすい表面１２２は、数、形状、サイズ、構成、方向付け、又は材料の点で、変更することができる。たとえば、一の実施形態では、切断部材１０８は、量を変更し、ローラー１１２の任意の部分又はハンドル１１８及び１２０の任意の部分などの、装置１０４の任意の部分に取り付けることができる。さらに他の実施形態では、装置１０４及び磁気的に影響を受けやすい表面１２２は、異なる機能に使用されてもよい。
【手続補正７】
【補正対象書類名】明細書
【補正対象項目名】００２７
【補正方法】変更
【補正の内容】
【００２７】
もちろん、前述したことは本開示の典型的な実施形態に関するものであり、続く特許請求の範囲で明記される開示の精神及び範囲を逸脱することなく変形することが可能であると、理解されるべきである。
また、本願は以下に記載する態様を含む。
（態様１）
磁石（１８）を有するローラー（２０）。
（態様２）
磁石（１８）は、少なくとも１００ポンドの引力を生成するとされる、態様１に記載のローラー（２０）。
（態様３）
切断部材（１０８）をさらに有する、態様１に記載のローラー（２０）。
（態様４）
ローラー（２０）は、非磁性体から作られるとする、態様１に記載のローラー（２０）。
（態様５）
ローラー（２０）は空洞（４６）を有し、且つ、磁石（１８）は空洞（４６）内に配置される、態様１に記載のローラー（２０）。
（態様６）
ローラー（２０）は、ローラー（２０）周囲に延びる溝（５８）を有する、態様１に記載のローラー（２０）。
（態様７）
材料（６４）に力（６３）を印加する方法であって、
磁石（１８）を有するローラー（２０）を備える装置（１０）と磁気的に影響を受けやすい表面（６６）との間に材料（６４）を配置するステップ、及び
力（６３）を材料（６４）に印加するために、材料（６４）が磁石（１８）を有するローラー（２０）と磁気的に影響を受けやすい表面（６６）との間に配置された状態で、磁石（１８）を有するローラー（２０）を材料（６４）上でローリングするステップを含む方法。
（態様８）
材料（６４）はテープを含み、且つ、磁気的に影響を受けやすい表面（６６）は複合レイアップツールを含む、態様７に記載の方法。
（態様９）
装置（１０）は、付加的に切断部材（１０８）を備え、且つ、切断部材（１０８）で材料（６４）を切断するステップをさらに含む、態様７に記載の方法。
（態様１０）
ローラー（２０）の溝（５８）内に材料（６４）を並べるステップをさらに含む、態様７に記載の方法。
【手続補正８】
【補正対象書類名】図面
【補正対象項目名】図２
【補正方法】変更
【補正の内容】
【図２】
2013087950.tif 000001